【手続補正書】
【提出日】平成19年6月20日(2007.6.20)
【手続補正１】
【補正対象書類名】明細書
【補正対象項目名】特許請求の範囲
【補正方法】変更
【補正の内容】
【特許請求の範囲】
【請求項１】  下記（ａ）ないし（ｆ）からなる群より選択される結晶形を有する２，３，７，８，１２，１３，１７，１８−オクタフェニル−５，１０，１５，２０−テトラアザポルフィリン。
（ａ）ＣｕＫα特性Ｘ線回折におけるブラッグ角２θ±０．２°の５．５°および１９．７°にピークを有する結晶形
（ｂ）ＣｕＫα特性Ｘ線回折におけるブラッグ角２θ±０．２°の５．６°および２０．２°にピークを有する結晶形
（ｃ）ＣｕＫα特性Ｘ線回折におけるブラッグ角２θ±０．２°の５．４°および２０．７°にピークを有する結晶形
（ｄ）ＣｕＫα特性Ｘ線回折におけるブラッグ角２θ±０．２°の７．５°および２０．０°にピークを有する結晶形
（ｅ）ＣｕＫα特性Ｘ線回折におけるブラッグ角２θ±０．２°の１５．４°および２１．８°にピークを有する結晶形
（ｆ）ＣｕＫα特性Ｘ線回折におけるブラッグ角２θ±０．２°の６．４°および８．０°にピークを有する結晶形
【請求項２】  ジフェニルマレオニトリルとマグネシウムを加熱反応させて得た２，３，７，８，１２，１３，１７，１８−オクタフェニル−５，１０，１５，２０−テトラアザポルフィリナトマグネシウムを、塩酸水溶液で加熱処理し脱マグネシウム化して得られる２，３，７，８，１２，１３，１７，１８−オクタフェニル−５，１０，１５，２０−テトラアザポルフィリンを、ピリジンを用いて精製することによって製造することを特徴とする、ＣｕＫα特性Ｘ線回折におけるブラッグ角２θ±０．２°の５．５°および１９．７°にピークを有する結晶形（ａ）の２，３，７，８，１２，１３，１７，１８−オクタフェニル−５，１０，１５，２０−テトラアザポルフィリンの製造方法。
【請求項３】  ジフェニルマレオニトリルとマグネシウムを加熱反応させて得た２，３，７，８，１２，１３，１７，１８−オクタフェニル−５，１０，１５，２０−テトラアザポルフィリナトマグネシウムを、塩酸水溶液で加熱処理し脱マグネシウム化して得られる２，３，７，８，１２，１３，１７，１８−オクタフェニル−５，１０，１５，２０−テトラアザポルフィリンを、ガラスビーズと共に乾式磨砕処理することによって製造することを特徴とする、ＣｕＫα特性Ｘ線回折におけるブラッグ角２θ±０．２°の５．５°および１９．７°にピークを有する結晶形（ａ）の２，３，７，８，１２，１３，１７，１８−オクタフェニル−５，１０，１５，２０−テトラアザポルフィリンの製造方法。
【請求項４】  前記乾式磨砕処理をサンドミルまたはペイントシェーカーで行う請求項３に記載の２，３，７，８，１２，１３，１７，１８−オクタフェニル−５，１０，１５，２０−テトラアザポルフィリンの製造方法。
【請求項５】  ＣｕＫα特性Ｘ線回折におけるブラッグ角２θ±０．２°の５．５°および１９．７°にピークを有する結晶形（ａ）の２，３，７，８，１２，１３，１７，１８−オクタフェニル−５，１０，１５，２０−テトラアザポルフィリンを、芳香族ハロゲン系溶剤でミリング処理または攪拌処理することによって製造することを特徴とする、ＣｕＫα特性Ｘ線回折におけるブラッグ角２θ±０．２°の５．６°および２０．２°にピークを有する結晶形（ｂ）の２，３，７，８，１２，１３，１７，１８−オクタフェニル−５，１０，１５，２０−テトラアザポルフィリンの製造方法。
【請求項６】  前記芳香族ハロゲン系溶剤がクロロベンゼンである請求項５に記載の２，３，７，８，１２，１３，１７，１８−オクタフェニル−５，１０，１５，２０−テトラアザポルフィリンの製造方法。
【請求項７】  ２，３，７，８，１２，１３，１７，１８−オクタフェニル−５，１０，１５，２０−テトラアザポルフィリナトマグネシウムを、アシッドペースティング法およびアシッドスラリー法で脱マグネシウム化して得られる２，３，７，８，１２，１３，１７，１８−オクタフェニル−５，１０，１５，２０−テトラアザポルフィリンを水洗することによって製造することを特徴とする、ＣｕＫα特性Ｘ線回折におけるブラッグ角２θ±０．２°の５．６°および２０．２°にピークを有する結晶形（ｂ）の２，３，７，８，１２，１３，１７，１８−オクタフェニル−５，１０，１５，２０−テトラアザポルフィリンの製造方法。
【請求項８】  前記アシッドペースティング法およびアシッドスラリー法に硫酸を用いることを特徴とする請求項７に記載の２，３，７，８，１２，１３，１７，１８−オクタフェニル−５，１０，１５，２０−テトラアザポルフィリンの製造方法。
【請求項９】  ＣｕＫα特性Ｘ線回折におけるブラッグ角２θ±０．２°の５．６°および２０．２°にピークを有する結晶形（ｂ）の２，３，７，８，１２，１３，１７，１８−オクタフェニル−５，１０，１５，２０−テトラアザポルフィリンを、エステル系溶剤、ケトン系溶剤およびアミド系溶剤でミリング処理または攪拌処理することによって製造することを特徴とする、ＣｕＫα特性Ｘ線回折におけるブラッグ角２θ±０．２°の５．４°および２０．７°にピークを有する結晶形（ｃ）の２，３，７，８，１２，１３，１７，１８−オクタフェニル−５，１０，１５，２０−テトラアザポルフィリンの製造方法。
【請求項１０】  前記エステル系溶剤が酢酸エチルおよび酢酸ブチルの少なくとも１つである請求項９に記載の２，３，７，８，１２，１３，１７，１８−オクタフェニル−５，１０，１５，２０−テトラアザポルフィリンの製造方法。
【請求項１１】  前記ケトン系溶剤がアセトンおよびメチルエチルケトンの少なくとも１つである請求項９または１０に記載の２，３，７，８，１２，１３，１７，１８−オクタフェニル−５，１０，１５，２０−テトラアザポルフィリンの製造方法。
【請求項１２】  前記アミド系溶剤がＮ，Ｎ−ジメチルホルムアミドおよびＮ−メチルピロリドンの少なくとも１つである請求項９〜１１のいずれかに記載の２，３，７，８，１２，１３，１７，１８−オクタフェニル−５，１０，１５，２０−テトラアザポルフィリンの製造方法。
【請求項１３】  ＣｕＫα特性Ｘ線回折におけるブラッグ角２θ±０．２°の５．６°および２０．２°にピークを有する結晶形（ｂ）の２，３，７，８，１２，１３，１７，１８−オクタフェニル−５，１０，１５，２０−テトラアザポルフィリンを、エーテル系溶剤でミリング処理または攪拌処理することによって製造することを特徴とする、ＣｕＫα特性Ｘ線回折におけるブラッグ角２θ±０．２°の７．５°および２０．０°にピークを有する結晶形（ｄ）の２，３，７，８，１２，１３，１７，１８−オクタフェニル−５，１０，１５，２０−テトラアザポルフィリンの製造方法。
【請求項１４】  前記エーテル系溶剤がテトラヒドロフランおよびエチルエーテルの少なくとも１つである請求項１３に記載の２，３，７，８，１２，１３，１７，１８−オクタフェニル−５，１０，１５，２０−テトラアザポルフィリンの製造方法。
【請求項１５】  ＣｕＫα特性Ｘ線回折におけるブラッグ角２θ±０．２°の５．５°および１９．７°にピークを有する結晶形（ａ）の２，３，７，８，１２，１３，１７，１８−オクタフェニル−５，１０，１５，２０−テトラアザポルフィリンを、エーテル系溶剤、アルコール系溶剤および脂肪族ハロゲン系溶剤でミリング処理または攪拌処理することによって製造することを特徴とする、ＣｕＫα特性Ｘ線回折におけるブラッグ角２θ±０．２°の１５．４°および２１．８°にピークを有する結晶形（ｅ）の２，３，７，８，１２，１３，１７，１８−オクタフェニル−５，１０，１５，２０−テトラアザポルフィリンの製造方法。
【請求項１６】  前記エーテル系溶剤がテトラヒドロフランおよびエチルエーテルの少なくとも１つである請求項１５に記載の２，３，７，８，１２，１３，１７，１８−オクタフェニル−５，１０，１５，２０−テトラアザポルフィリンの製造方法。
【請求項１７】  前記アルコール系溶剤がメタノール、エタノールおよびプロパノールの少なくとも１つである請求項１５または１６に記載の２，３，７，８，１２，１３，１７，１８−オクタフェニル−５，１０，１５，２０−テトラアザポルフィリンの製造方法。
【請求項１８】  前記脂肪族ハロゲン系溶剤がクロロホルムおよび塩化メチレンの少なくとも１つである請求項１５〜１７のいずれかに記載の２，３，７，８，１２，１３，１７，１８−オクタフェニル−５，１０，１５，２０−テトラアザポルフィリンの製造方法。
【請求項１９】  ＣｕＫα特性Ｘ線回折におけるブラッグ角２θ±０．２°の５．５°および１９．７°にピークを有する結晶形（ａ）の２，３，７，８，１２，１３，１７，１８−オクタフェニル−５，１０，１５，２０−テトラアザポルフィリンを、アミド系溶剤およびケトン系溶剤でミリング処理または攪拌処理することによって製造することを特徴とする、ＣｕＫα特性Ｘ線回折におけるブラッグ角２θ±０．２°の６．４°および８．０°にピークを有する結晶形（ｆ）の２，３，７，８，１２，１３，１７，１８−オクタフェニル−５，１０，１５，２０−テトラアザポルフィリンの製造方法。
【請求項２０】  前記アミド系溶剤がＮ，Ｎ−ジメチルホルムアミドおよびＮ−メチルピロリドンの少なくとも１つである請求項１９に記載の２，３，７，８，１２，１３，１７，１８−オクタフェニル−５，１０，１５，２０−テトラアザポルフィリンの製造方法。
【請求項２１】  前記ケトン系溶剤がアセトンおよびメチルエチルケトンの少なくとも１つである請求項１９または２０に記載の２，３，７，８，１２，１３，１７，１８−オクタフェニル−５，１０，１５，２０−テトラアザポルフィリンの製造方法。
【請求項２２】  支持体上に感光層を有する電子写真感光体において、該感光層が、下記（ａ）ないし（ｆ）からなる群より選ばれる結晶形を有する２，３，７，８，１２，１３，１７，１８−オクタフェニル−５，１０，１５，２０−テトラアザポルフィリンを含有することを特徴とする電子写真感光体。
（ａ）ＣｕＫα特性Ｘ線回折におけるブラッグ角２θ±０．２°の５．５°および１９．７°にピークを有する結晶形
（ｂ）ＣｕＫα特性Ｘ線回折におけるブラッグ角２θ±０．２°の５．６°および２０．２°にピークを有する結晶形
（ｃ）ＣｕＫα特性Ｘ線回折におけるブラッグ角２θ±０．２°の５．４°および２０．７°にピークを有する結晶形
（ｄ）ＣｕＫα特性Ｘ線回折におけるブラッグ角２θ±０．２°の７．５°および２０．０°にピークを有する結晶形
（ｅ）ＣｕＫα特性Ｘ線回折におけるブラッグ角２θ±０．２°の１５．４°および２１．８°にピークを有する結晶形
（ｆ）ＣｕＫα特性Ｘ線回折におけるブラッグ角２θ±０．２°の６．４°および８．０°にピークを有する結晶形
【請求項２３】  請求項２２に記載の電子写真感光体、ならびに、帯電手段、現像手段およびクリーニング手段からなる群より選ばれる少なくとも１つの手段を一体に支持し、電子写真装置本体に着脱可能であることを特徴とするプロセスカートリッジ。
【請求項２４】  請求項２２に記載の電子写真感光体、帯電手段、露光手段、現像手段および転写手段を有することを特徴とする電子写真装置。
【手続補正２】
【補正対象書類名】明細書
【補正対象項目名】００１６
【補正方法】変更
【補正の内容】
【００１６】
また、本発明は、前記本発明の電子写真感光体、ならびに、帯電手段、現像手段およびクリーニング手段からなる群より選ばれる少なくとも１つの手段を一体に支持し、電子写真装置本体に着脱可能であることを特徴とするプロセスカートリッジから構成される。